(57)【要約】【課題】ＰＢＣＨミューティングに基づくシステムおよび方法によって、ＬＴＥアドバンスヘテロジニアスネットワークにおける頻繁なセル選択／再選択とハンドオーバを避ける。【解決手段】マクロｅＮＢか他のピコｅＮＢによって十分カバーされるピコｅＮＢは、セル選択／再選択を行うＵＥにアクセス不可能になるように、ブランクのＰＢＣＨを送信する。さらに、マクロｅＮＢは、アクセス不可能なピコｅＮＢを検出するため、そのＵＥに必要な情報を信号伝送することにより、そのＵＥをアクセス不可能なピコｅＮＢにハンドオーバすることができる。而して、密度の高いネットワーク上で頻繁なセル選択／再選択とハンドオーバを避けることができる。【選択図】  図６
2014138422.tif 000002
【特許請求の範囲】
【請求項１】
基地局によって形成されるセルに接続するユーザ装置（ＵＥ）のための情報を格納するメモリと、
該ＵＥにフレームを送信し、ある条件に基いて該フレームによって送信され、格納された情報をミューティングするように構成される信号処理モジュールと
を有する基地局。
【請求項２】
該条件は、格納された情報をミューティングするユーザ設定から構成される請求項１記載の基地局。
【請求項３】
該条件は、該基地局によって形成されるセルの範囲が、一つ又は複数の他の基地局によって形成される一つ又は複数のセルの範囲によってカバーされるか否かに基づくものである請求項１記載の基地局。
【請求項４】
該基地局は、ピコエンハンスＮｏｄｅ Ｂ（ｅＮＢ）であり、該一つ又は複数の他の基地局が、少なくとも一つのマクロｅＮＢと複数のピコｅＮＢとから構成される請求項３記載の基地局。
【請求項５】
該格納された情報は、物理ブロードキャスト（ＰＢＣＨ）上に伝送される主情報ブロック（ＭＩＢ）である請求項１記載の基地局。
【請求項６】
該信号処理モジュールは、ブランクの物理ブロードキャスト（ＰＢＣＨ）を送信することによって、該格納された情報をミューティングするように構成される請求項１記載の基地局。
【請求項７】
第１の基地局によって形成されるセルに接続するユーザ装置（ＵＥ）のための情報を格納するように構成されたメモリと、
該ＵＥにフレームを送信し、ある条件に基づき、該フレームによって送信され、格納された情報をミューティングするように構成される信号処理モジュールとを含む第一の基地局を有するシステム。
【請求項８】
さらに、少なくとも一つの第二の基地局を有し、少なくとも一つの該第二の基地局は、該ＵＥにハンドオーバコマンドを送信するように構成され、該ハンドオーバコマンドは、該第一の基地局により送信される該ミューティングされ格納された情報を含む請求項７記載のシステム。
【請求項９】
該条件は、該格納される情報をミューティングするユーザ設定から構成される請求項７記載のシステム。
【請求項１０】
該条件は、一つの第二の基地局を有し、該第一の基地局によって形成されるセルが、該少なくとも一つの第二の基地局によって形成される、一又は複数のセルによってカバーされるか否かに基づくものである請求項７記載のシステム。
【請求項１１】
さらに、該少なくとも一つの第二の基地局を有し、
該第一の基地局はピコエンハンスＮｏｄｅ Ｂ（ｅＮＢ）であり、かつ該少なくとも一つの第二の基地局は、少なくとも一つのマクロｅＮＢと複数のピコｅＮＢである請求項１０記載のシステム。
【請求項１２】
該格納された情報は、物理ブロードキャスト（ＰＢＣＨ）上に伝送される主情報ブロック（ＭＩＢ）である請求項７記載のシステム。
【請求項１３】
該信号処理モジュールは、ブランクの物理ブロードキャスト（ＰＢＣＨ）を送信することによって、該格納された情報をミューティングするように構成される請求項７記載のシステム。
【請求項１４】
処理を実行する命令を格納するコンピュータ読み取り可能記憶媒体であって、該命令は、
基地局によって形成されるセルに接続するユーザ装置（ＵＥ）のための情報を格納し、
ある条件に基づく、あるフレームのために格納された情報をミューティングし、
該ＵＥにフレームを送信する
コンピュータ読み取り可能記憶媒体。
【請求項１５】
該条件は、該格納された情報をミューティングするユーザ設定から構成される請求項１４記載のコンピュータ読み取り可能記憶媒体。
【発明の詳細な説明】
【技術分野】
【０００１】
本発明は、セルラシステムに関して、より具体的には、ヘテロジニアス(異種混合)ネットワークにおけるセル選択とハンドオーバセルに関する。
【背景技術】
【０００２】
Long Term Evolution(ＬＴＥ)アドバンスネットワークセルラシステムは、enhanced Node Bs (ｅＮＢｓ)のダイバースセットのヘテロジニアス(異種混合)配置により、セルのサイズを減少させることによって、スペクトル効率を向上させることを目的に設計されたものである。ヘテロジニアスネットワークにおいては、マクロｅＮＢｓが、高い送信出力をもって配置され、重なり合うピコｅＮＢｓが、ＵＥのスループットを向上させるために相対的に低い送信出力をもって配置される。このような重なり合う配置にしているため、スペクトルの空間的再利用が促進されることによりキャパシテイゲインも提供することができる。
【発明の概要】
【発明が解決しようとする課題】
【０００３】
ユーザ装置(user equipment: ＵＥ)が、ＬＴＥアドバンスネットワークの中で起動されたとき、ＵＥは最初にセル選択を実行する。ＵＥは、関係づけられる適切なセル(マクロセルかピコセル)を検索する。セル選択の過程で、ＵＥは各々の近傍のセルに対して参照信号強度(reference signal strength (例えば、Reference Signal Received Power/Reference Signal Received Quality (ＲＳＲＰ／ＲＳＲＱ))を測定し、いくかの評価基準、例えば最も高いＲＳＲＰ値を持つセル、に基づいてセルを選択する。ＵＥがセルを選択した後に、ＵＥはセルのアクセスしやすさを、物理ブロードキャストチャネル(physical broadcasting channel: ＰＢＣＨ)によって伝送される主情報ブロック(master information block: ＭＩＢ)を読むことにより、検証する。ＵＥがセルのアクセスのし易さの検証に成功した後、ＵＥは、自身と選択されたセルを関係つける。ＵＥが、選択したセルのＭＩＢの読み込みに失敗すると、選択したセルを捨てて、関係づけるのに適したセルを見つけるまで、上記手順を繰り返す。ＵＥがあるセルと関係づけられた後、その状態はＲＲＣ＿ＩＤＥＬになる。新しいエリアに移動したとき、ＲＲＣ＿ＩＤＥＬ状態のＵＥが、上記のセルの選択／再選択の手続きをフォローする他のセルに、自らを関係付けることができることに留意すべきである。もし、あるエリアに配置された多くのピコセルがあるとすると、ＲＲＣ＿ＩＤＥＬのＵＥはそれが移動しているときに、頻繁にセルの選択／再選択の手続きを行う必要があり、それはバッテリ寿命の低下を招くことになるかもしれない。
【０００４】
ＵＥが送信又は受信するデータパケットを持ったとき、ＵＥの状態はＲＲＣ＿ＣＯＮＮＥＣＴＥＤになる。そして、ｅＮＢは、ＵＥにより報告されたＲＳＲＰ／ＲＳＰＱ測定情報に基づいて、ＲＲＣ＿ＣＯＮＮＥＣＴＥＤのＵＥを他のｅＮＢに受け渡す(ハンドオーバ)。ＲＲＣ＿ＩＤＥＬの場合と同様に、あるエリアに配置された多くのピコセルがあるとすると、頻繁にハンドオーバが引き起こされ、それにより、呼接続の失敗が起こされる確率が増加することになる。
【課題を解決するための手段】
【０００５】
本発明の実施例は、基地局によって形成されるセルに接続するユーザ装置（ＵＥ）のための情報を格納するメモリと、該ＵＥにフレームを送信し、ある条件に基づき、該フレームによって送信され、格納された情報をミューティングするように構成される信号処理モジュールとを有する基地局を含む。
【０００６】
本発明の実施例は更に、基地局によって形成されるセルに接続するユーザ装置（ＵＥ）のための情報を格納するメモリと、該ＵＥにフレームを送信し、ある条件に基づき、該フレームによって送信され、格納された情報をミューティングするように構成された信号処理モジュールとを含む第一の基地局と、少なくとも一つの第二の基地局を有するシステムを含む。
【０００７】
本発明の実施例は更に、処理を実行する命令を格納するコンピュータ読み取り可能記憶媒体であって、該命令は、基地局によって形成されるセルに接続するユーザ装置（ＵＥ）のための情報を格納し、ある条件に基づくあるフレームのために格納された情報をミューティングし、該ＵＥにフレームを送信する命令から構成される。
【図面の簡単な説明】
【０００８】
【図１】マクロ−ピコ配置シナリオの例を示す図である。
【図２】マクロ−ピコ配置シナリオの例を示す図である。
【図３】本実施例によるｅＮＢのブロック図を示す図である。
【図４】本実施例によるＵＥのブロック図を示す図である。
【図５】本実施例によるＬＴＥアドバンスネットワークのダウンリンク転送とＰＢＣＨの概念の説明のためのフレーム構成の例を示す図である。
【図６】本実施例によるｅＮＢにおけるＰＢＣＨミューティングの設定のフローチャートを示す図である。
【図７】本実施例によるマクロ−ピコ配置シナリオでのＲＲＣ＿ＩＤＬＥのＵＥにおけるセルの選択／再選択のフローチャートの例を示す図である。
【図８】本実施例によるセルの選択のフローチャートの例を示す図である。
【図９】本実施例によるマクロ−ピコ配置でのＲＲＣ＿ＩＤＬＥのＵＥにおけるセルの選択／再選択のフローチャートの例を示す図である。
【図１０】本実施例によるマクロ−ピコ配置でのＲＲＣ＿ＣＯＮＮＥＣＴＥＤのＵＥのハンドオーバのフローチャートの例を示す図である。
【図１１】本実施例によるマクロ−ピコ配置でのＲＲＣ＿ＣＯＮＮＥＣＴＥＤのＵＥのハンドオーバのフローチャートの例を示す図である。
【発明を実施するための形態】
【０００９】
以下、ＬＴＥアドバンスネットワークにおいて、マクロenhanced NodeBs(ｅＮＢｓ)が、基本的なカバレッジを提供し、多くのピコｅＮＢｓが、ユーザ装置(ＵＥ)のスループットをさらに高めるために使用される場合を考察する。密度の高い配置でピコセルのサイズが小さいために、ＵＥの携帯性がよいこととあいまって、頻繁に、セル選択／再選択とハンドオーバが起こりうる。それにより、ＵＥのバッテリ寿命の低下と、呼接続の失敗が増えるようになる。本実施例では、このような密度の高い配置のシナリオにおける頻繁なセル選択／再選択とハンドオーバを避けることができる。
【００１０】
本実施例では、物理ブロードキャストチャネル(physical broadcasting channel: ＰＢＣＨ)ミューティングに基づくシステムおよび方法が、ＬＴＥアドバンスネットワークの中でのセル選択／再選択とハンドオーバを実質的に避けるために用いられる。本実施例では、マクロｅＮＢか他のピコｅＮＢにより、全てカバーされているピコｅＮＢは、セル選択／再選択を行うＵＥに、そのピコｅＮＢがアクセス不可能になるように、ブランクのＰＢＣＨを送信する。さらに、マクロｅＮＢは、アクセス不可能なピコｅＮＢを検出するためにＵＥに、必要な情報を信号伝送することにより、ＵＥをアクセス不可能なピコｅＮＢにハンドオーバすることができる。
【００１１】
〔シナリオの例〕
本実施例では、あるエリア内に多くのピコｅＮＢが配置された密度の高いＬＴＥアドバンスヘテロジニアスネットワークにおいて、ＲＲＣ＿ＩＤＬＥ、ＲＲＣ＿ＣＯＮＮＥＣＴＥＤのＵＥに対して、それぞれ、頻繁なセルの選択／再選択、ハンドオーバを避けるよう試みる例を説明する。以下の二つの例を考察する。
【００１２】
マクロ−ピコ配置シナリオ１：
第１の例では、図１に示されるように、ピコセル(例えば、ピコ１、ピコ２、ピコ３)が、マクロセル１００のカバレッジの下に配置される。本実施例は、このシナリオでマクロｅＮＢとピコｅＮＢの双方のダウンリンク送信(すなわち、ｅＮＢからＵＥ)に適用される。
【００１３】
マクロ−ピコ配置シナリオ２：
第２の例では、図２に示されるように、ピコセル(例えば、ピコ１−ピコ４)が、マクロセル２００のカバレッジの外側に配置される。加えて、あるピコセルは、他のピコセルの組み合わせにより、全て範囲がカバーされる。例えば、ピコ４は、ピコ１−ピコ３の組み合わせにより、全て範囲がカバーされる。本実施例は、このシナリオでピコｅＮＢのダウンリンク送信に適用される。
【００１４】
図３は、本実施例によるｅＮＢのブロック図を示している。ｅＮＢは、マクロｅＮＢでも、ピコｅＮＢでもよい。ｅＮＢは、ハンドオーバモジュール３００、ＲＲＣモジュール３０１、信号処理モジュール３０２、メモリ３０３、のような一つあるいは複数のモジュールを含む。ハンドオーバモジュール３００はハンドオーバ操作を受け持つ。無線リソース制御(radio resource control: ＲＲＣ)モジュールは、ハンドオーバ処理の間、ターゲットのｅＮＢを検出するために、ＵＥに対して必要なＲＲＣ信号を生成するように構成される。信号処理モジュール３０２は、送信信号を生成し、必要ならばＰＢＣＨミューティングを実行するように構成される。メモリ３０３は、ＰＢＣＨミューティングのピコセルのためのシステム情報(例えば、ＭＩＢ)と、ＵＥのためのデータパケットを格納するように構成される。システム情報は、ｅＮＢのセルに接続するために、ＵＥにより使われ得る。
【００１５】
モジュールは、中央処理装置(central processing unit: ＣＰＵ)により実行され、メモリ上に格納されてもよい。メモリは、処理を実行する命令を格納したコンピュータ読み取り可能媒体の形式であってよい。コンピュータ読み取り可能媒体は、ＲＡＭ、ハードディスクドライブ(ＨＤＤ)、ＣＤ／ＤＶＤ、フラッシュメモリなどの目に見える形での記憶媒体を含む。代替案としては、モジュールは、メモリの代わりの搬送波のような非接触の記録媒体を含んだコンピュータ読み取り可能媒体であってもよい。
【００１６】
図４は、本実施例によるＵＥのブロック図を示している。ＵＥは、測定モジュール４００、セル選択／再選択モジュール４０１、信号処理モジュール４０２、メモリ４０３、のような一つあるいは複数のモジュールを含む。測定モジュール４００は、近傍のセルに対して、参照信号強度(例えば、ＲＳＲＰ／ＲＳＲＱ)を測定し、関係づけられたｅＮＢへ測定結果を送信するように構成される。セル選択／再選択モジュール４０１は、ＵＥがＲＲＣ＿ＩＤＥＬ状態にあるとき、関係づけられるセルを選択するように構成される。信号処理モジュール４０２は、受信した信号を解読するように構成される。メモリ４０３は、受信したパケットを格納するように構成される。
【００１７】
図５は、本実施例によるＬＴＥアドバンスネットワークのダウンリンク転送とＰＢＣＨの概念の説明のためのフレーム構成の例を示している。図５に示されるように、ＬＴＥフレームは、サブフレームを有しており、サブフレームは、ノーマル循環プレフィックスを有する１４のＯＦＤＭに分割される。各々のフレームの最初のサブフレームの中で、８番目の中央の６つのＯＦＤＭシンボルの物理リソースブロック(physical resource block: ＰＲＢ)は、ＭＩＢ情報を伝送するＰＢＣＨのために使われる。あるセルのＭＩＢを読まないと、ＵＥは、アクセス可能性を判定できず、そのセルには接続することができない。それゆえ、あるセルはＰＢＣＨミューティングを介して、すなわちブランクのＰＢＣＨを送信することによって、ＵＥをアクセス不可能にすることができる。
【００１８】
本実施例において、マクロｅＮＢは、ミューティングすることなく、常にＰＢＣＨ上のＭＩＢを送信し、一方、ピコｅＮＢはＰＢＣＨミューティングできるように設定されている。図６は、本実施例によるｅＮＢのＰＢＣＨミューティングを設定するためのフローチャートを示している。ピコｅＮＢを初期設定するとき、ネットワークオペレータは、先ず、ピコｅＮＢによって形成されるピコセルが、マクロセルによって全てカバーされているかチェックする(６００)。ピコセルが全てカバーされているなら、ネットワークオペレータは、そのピコｅＮＢにＰＢＣＨミューティングをするように設定する(６０３)。そうでないとき、ネットワークオペレータは、ＰＢＣＨミューティングすることなく、ピコセルが、他のピコセルの組み合わせによって全てカバーされているかチェックする(６０１)。Ｙｅｓならば、ネットワークオペレータは、そのピコｅＮＢにＰＢＣＨミューティングをするように設定する(６０３)。そうでないとき、ＰＢＣＨミューティングは、ネットワークオペレータによって実行されない(６０２)。代替案として、ＰＢＣＨミューティングをするか否かを判定するために、ネットワークオペレータは、最初にピコセルが、他のピコセルの組み合わせによって全てカバーされているかチェックし、それからマクロセルのカバレッジをチェックすることができる。図１のシナリオに適用すると、ピコ１−ピコ３は、ＰＢＣＨミューティングするように設定される。図２のシナリオに適用すると、ピコ１−ピコ３は、ＰＢＣＨミューティングされず、一方、ピコ４は、ＰＢＣＨミューティングするように設定される。上記実施例に従い、ピコｅＮＢには、自動的にＰＢＣＨミューティングの設定がされることに留意すべきである。いったん、ピコｅＮＢに、ＰＢＣＨミューティングの設定がされると、そのピコｅＮＢは、その近傍のｅＮＢにバックホール回線を介して自身のセルＩＤと、ＭＩＢ情報を送信することによって通知する。メッセージを受信したｅＮＢは、メモリにそのようなシステム情報を格納する。他の条件は、そのフレームがＰＢＣＨミューティングの伝送をするか(既定条件、ユーザ設定)を決定するために使われるようにしてもよい。
【００１９】
図７は、本実施例によるマクロ−ピコ配置シナリオでのＲＲＣ＿ＩＤＬＥのＵＥにおけるセルの選択／再選択のフローチャートの例を示している。フローチャートでは、図１に描いたシナリオの例、すなわちピコ１―ピコ３がＰＢＣＨミューティングをし、マクロｅＮＢがＰＢＣＨミューティングをしないように設定する例を示している。マクロｅＮＢとピコ１はセル同期をおこなうように、初期同期信号／第二同期信号(Primary Synchronization Signal / Secondary Synchronization Signal (ＰＳＳ／ＳＳＳ))を、それぞれ別個にＵＥに送信する(７００，７０１)。セル同期を行った（７０２）後に、ＵＥの測定モジュールは、マクロｅＮＢとピコ１に対して、各々ＲＳＲＰ／ＲＳＲＱを測定する（７０３）。そのＲＳＲＰ／ＲＳＲＱの測定結果に基づき、ＵＥのセル選択／再選択モジュールは、関係づけられる適切なセルを選択する（７０４）。
【００２０】
図８は、本実施例によるセルの選択のフローチャートの例を示している。本例では、マクロｅＮＢとピコ１に対するＲＳＲＰ値がそれぞれ５と１０であり、ピコｅＮＢは、最も高いＲＳＲＰ値を持つセルが、最良の候補として選択されると仮定している。図１のシナリオの例のように図８のフローチャートの例によれば、ＵＥは、先ず最良の候補として、ピコ１を取りあげ、ＭＩＢを読もうとする（８００，８０１）。ピコ１は、ＰＢＣＨミューティングに設定されているので、ＭＩＢを読むことができない。ＵＥは、ピコ１を捨て、マクロｅＮＢを最良の候補として選択する（８０２）。マクロｅＮＢは、ＰＢＣＨ上ＭＩＢを送信するので、ＵＥはそのＭＩＢを読み込むことができる。その結果、ＵＥは、ランダムアクセスチャネル（random access channel: ＲＡＣＨ）上を、要求アタッチを送ることにより、関係づけられるマクロｅＮＢを選択する（８０３）。図１のシナリオのマクロ−ピコ配置では、全てのピコｅＮＢはＰＢＣＨミューティングが設定されているので、全てのＲＲＣ＿ＩＤＬＥのＵＥが、マクロｅＮＢと関係づけられることに留意すべきである。
【００２１】
図９は、本実施例によるマクロ−ピコ配置でのＲＲＣ＿ＩＤＬＥのＵＥにおけるセルの選択／再選択のフローチャートの例を示している。フローチャートでは、図２に描いたシナリオの例、すなわち、ピコ１―ピコ３がＰＢＣＨ上にＭＩＢを送信し、ピコ４がＰＢＣＨミューティングするように設定する例を示している。最初に、ピコ１とピコ４は、セル同期をおこなうために、別個にＰＳＳ／ＳＳＳを送信する（９００，９０１）。セル同期を行った（９０２）後に、ＵＥの測定モジュールは、ピコ１とピコ４に対して、各々ＲＳＲＰ／ＲＳＲＱを測定する（９０３）。そのＲＳＲＰ／ＲＳＲＱの測定結果に基づき、ＵＥのセル選択／再選択モジュールは、関係付けるのに適切なセルを選択する（９０４）。図８のフローチャートの例と同様のセル選択がこのシナリオで適用されてもよい。このようにして、ＵＥは、ピコ４のＲＳＲＰ／ＲＳＰＱの値にかかわらず、ピコ１を選択する。図２のマクロ−ピコ配置シナリオで、全てのＲＲＣ＿ＩＤＥＬのＵＥは、ＰＢＣＨ上ＭＩＢを送信するピコｅＮＢ（すなわち、ピコ１−ピコ３）に関係付けられるようにしてもよいことに留意すべきである。
【００２２】
図１０は、本実施例によるマクロ−ピコ配置でのＲＲＣ＿ＣＯＮＮＥＣＴＥＤのＵＥのハンドオーバのフローチャートの例を示している。フローチャートでは、図１に描いたシナリオの例、すなわち、ピコ１―ピコ３がＰＢＣＨミューティングし、マクロｅＮＢが、ＰＢＣＨミューティングしないように設定する例を示している。ＵＥは、マクロｅＮＢとピコ１に対するＲＳＲＰ／ＲＳＲＱをそれぞれ測定し（１０００)、その測定結果をマクロｅＮＢに対して報告する（ＵＥは、ＲＲＣ＿ＩＤＥＬ状態で、マクロｅＮＢに関係づけられている）（１００１）。ＵＥからの測定報告と他の情報（ネットワークの負荷など）に基づき、マクロｅＮＢのハンドオーバモジュールは、ＵＥをピコ１にハンドオーバすることを決定し（１００２）、ハンドオーバ要求を送信する（１００３）。ここで、ｅＮＢに対してハンドオーバする方法は、他の方法が適用されうることに留意すべきである。ピコ１から肯定応答を受信した後（１００４）、ハンドオーバモジュールは、ＵＥのためにバッファされているパケット、あるいは、通信中のパケットを転送する（１００５−１００７）。その後、マクロｅＮＢのＲＲＣモジュールは、そのＵＥに、ＲＲＣ信号によって、ピコ１に対するＭＩＢを含んだハンドオーバコマンドを送信する（１００８）。ハンドオーバコマンドを受信した後、ＵＥはセル検知を実行する（１００９）。すなわち、ピコ１の情報により、他のシステム情報を読み込み、ＲＡＣＨ上、要求アタッチを送信する（１０１０）。最後に、ピコ１は、そのアタッチを確認し、そのＵＥにパケットを送信し始める（１０１１）。
【００２３】
図１１は、本実施例によるマクロ−ピコ配置でのＲＲＣ＿ＣＯＮＮＥＣＴＥＤのＵＥのハンドオーバのフローチャートの例を示している。フローチャートでは、図２に描いたシナリオの例、すなわち、ピコ１―ピコ３が、ＰＢＣＨミューティングをせず、ピコ４がＰＢＣＨミューティングをするように設定する例を示している。この場合には、ピコ１が、図１０のマクロｅＮＢと同じ役割を果たし、１０００−１０１１のフローチャート処理は、マクロｅＮＢの代わりにピコ１とした１１００−１１１１のフローチャート処理と同じである。
【００２４】
さらに、詳細な説明のある部分は、アルゴリズムの用語やコンピュータ上の動作を表す表現によって述べられている。それらアルゴリズムの記述や表現は、それらの革新の本質を他の当業者に最も効果的に伝え得る、データ処理技術分野における当業者によって使用される手段である。アルゴリズムは、望ましい状態や結果へと導く一連の明確にされたステップである。本実施例において、このステップは効果的な結果を実現するための効果的な量の物理的な処理を要して行われる。
【００２５】
さらに、本発明の他の実施例は、この明細書の考察とここに開示された実施例から当業者にとって明らかであろう。説明した実施例の様々な様相や要素は、一つでも使われてよいし、複数で使われてもよい。明細書と実施例は、以下の特許請求の範囲に示される発明の真の範囲とその考え方に基づき、一つの例として取り扱われることを意図している。
【符号の説明】
【００２６】
１００、２００：マクロセル
３００：ハンドオーバモジュール  ３０１：ＲＲＣモジュール
３０２：信号処理モジュール      ３０３：メモリ
４００：測定モジュール          ４０１：セル選択／再選択モジュール
４０２：信号処理モジュール      ４０３：メモリ
【図１】
2014138422.tif 000003
【図２】
2014138422.tif 000004
【図３】
2014138422.tif 000005
【図４】
2014138422.tif 000006
【図５】
2014138422.tif 000007
【図６】
2014138422.tif 000008
【図７】
2014138422.tif 000009
【図８】
2014138422.tif 000010
【図９】
2014138422.tif 000011
【図１０】
2014138422.tif 000012
【図１１】
2014138422.tif 000013